(57)【要約】【課題】  複数の端末の状態を一括して管理し、必要に応じた処置を実行することのできる端末管理装置、端末管理方法及び端末管理プログラムを提供する。【解決手段】  取得した画像又は映像又は音声の少なくとも１つを記憶する情報メモリと電源用電池とを有する端末装置を複数管理する端末管理方法であって、各端末装置に内蔵された電池の消費状況及び充電状況の少なくとも一方に関する情報を、端末装置と情報を無線又は有線で送受信する通信手段を介して取得する電源情報取得ステップと、電源情報取得ステップで取得した情報に基づいて各端末装置の電池の消費状況又は充電状況を表示する電源情報表示ステップと、複数の端末装置から任意の第１の端末装置を選択させるためのユーザインターフェースを表示する第１の端末選択ステップとを備えた端末管理方法である。【選択図】      図８
2007068105.tif 000002
【特許請求の範囲】
【請求項１】
取得した画像又は映像又は音声の少なくとも１つを記憶する情報メモリと電源用電池とを有する端末装置を複数管理する端末管理装置であって、
前記端末装置と情報を無線又は有線で送受信する通信手段と、
前記各端末装置に内蔵された前記電池の消費状況及び充電状況の少なくとも一方に関する情報を前記通信手段を介して取得する電源情報取得手段と、
前記電源情報取得手段で取得した情報に基づいて各端末装置の電池の消費状況又は充電状況を表示する電源情報表示手段と、
前記複数の端末装置から任意の第１の端末装置を選択させるためのユーザインターフェースを表示する第１の端末選択手段と、
を有することを特徴とする端末管理装置。
【請求項２】
前記第１の端末装置に内蔵の電池の電力の残量が十分か否かを判定する電池残量判定手段と、
前記電池残量判定手段で、前記第１の端末装置の内蔵電池の電力残量が不十分と判定された場合には、内蔵する電池の電力残量が十分な端末装置を抽出する端末抽出手段と、
を更に有することを特徴とする請求項１に記載の端末管理装置。
【請求項３】
前記各端末装置が充電装置に接続されているか否かを判定する充電器接続判定手段を更に有し
前記端末抽出手段は、内蔵する電池の残量が十分でかつ充電装置に接続された端末装置を抽出することを特徴とする請求項２に記載の端末管理装置。
【請求項４】
前記各端末装置の情報メモリの使用状況に関する情報を取得するメモリ情報取得手段と、
前記メモリ情報取得手段で取得した情報に基づいて各端末装置のメモリの使用状況を表示するメモリ情報表示手段と、
を更に有することを特徴とする請求項１乃至３の内いずれか１項に記載の端末管理装置。
【請求項５】
前記第１の端末装置の情報メモリの空きメモリ容量が十分か否かを判定する空きメモリ判定手段と、
前記空きメモリ判定手段で空きメモリが不十分と判定された場合には、前記第１の端末装置の情報メモリに記憶されている情報を記憶可能な第２の端末装置を選択する第２の端末選択手段と、
前記第１の端末装置の情報メモリに記憶されている情報を前記第２の端末装置の情報メモリに転送する情報転送手段と、
を更に有することを特徴とする請求項４に記載の端末管理装置。
【請求項６】
大量の情報が記憶可能な情報処理装置と直接又は、前記複数の端末装置の一つを介して情報の通信が可能か否かを判定するホスト接続判定手段をさらに有し、
前記ホスト接続判定手段が前記情報処理装置と情報の通信が可能と判定した場合には、前記情報転送手段は、前記第１の端末装置の情報メモリに記憶されている情報を前記情報処理装置に転送する、ことを特徴とする請求項５に記載の端末管理装置。
【請求項７】
前記端末選択手段を介して選択された端末装置に対してアラーム動作を起動させるアラームコマンドを送信するアラーム起動手段を更に有することを特徴とする請求項１乃至６の内いずれか１項に記載の端末管理装置。
【請求項８】
前記端末管理装置は、画像又は映像又は音声の少なくとも１つを取得することが可能な前記端末装置であることを特徴とする請求項１乃至７の内いずれか１項に記載の端末管理装置。
【請求項９】
取得した画像又は映像又は音声の少なくとも１つを記憶する情報メモリと電源用電池とを有する端末装置を複数管理する端末管理装置で動作する端末管理プログラムであって、
前記各端末装置に内蔵された前記電池の消費状況及び充電状況の少なくとも一方に関する情報を、前記端末装置と情報を無線又は有線で送受信する通信手段を介して取得する電源情報取得ステップと、
前記電源情報取得ステップで取得した情報に基づいて各端末装置の電池の消費状況又は充電状況を表示する電源情報表示ステップと、
前記複数の端末装置から任意の第１の端末装置を選択させるためのユーザインターフェースを表示する第１の端末選択ステップと、
をコンピュータに実行させるためのプログラム。
【請求項１０】
前記第１の端末装置に内蔵の電池の電力の残量が十分か否かを判定する電池残量判定ステップと、
前記電池残量判定ステップで、前記第１の端末装置の内蔵電池の電力残量が不十分と判定された場合には、内蔵する電池の電力残量が十分な端末装置を抽出する端末抽出ステップと、
を更に有することを特徴とする請求項９に記載のプログラム。
【請求項１１】
前記各端末装置が充電装置に接続されているか否かを判定する充電器接続判定ステップを更に有し
前記端末抽出ステップは、内蔵する電池の残量が十分でかつ充電装置に接続された端末装置を抽出することを特徴とする請求項１０に記載のプログラム。
【請求項１２】
前記各端末装置の情報メモリの使用状況に関する情報を取得するメモリ情報取得ステップと、
前記メモリ情報取得ステップで取得した情報に基づいて各端末装置のメモリの使用状況を表示するメモリ情報表示ステップと、
を更に有することを特徴とする請求項９乃至１１の内いずれか１項に記載のプログラム。
【請求項１３】
前記第１の端末装置の情報メモリの空きメモリ容量が十分か否かを判定する空きメモリ判定ステップと、
前記空きメモリ判定ステップで空きメモリが不十分と判定された場合には、前記第１の端末装置の情報メモリに記憶されている情報を記憶可能な第２の端末装置を選択する第２の端末選択ステップと、
前記第１の端末装置の情報メモリに記憶されている情報を前記第２の端末装置の情報メモリに転送する情報転送ステップと、
を更に有することを特徴とする請求項１２に記載のプログラム。
【請求項１４】
大量の情報が記憶可能な情報処理装置と直接又は、前記複数の端末装置の一つを介して情報の通信が可能か否かを判定するホスト接続判定ステップをさらに有し、
前記ホスト接続判定ステップが前記情報処理装置と情報の通信が可能と判定した場合には、前記情報転送ステップでは、前記第１の端末装置の情報メモリに記憶されている情報を前記情報処理装置に転送する、ことを特徴とする請求項１３に記載のプログラム。
【請求項１５】
前記端末選択ステップで選択された端末装置に対してアラーム動作を起動させるアラームコマンドを送信するアラーム起動ステップを更に有することを特徴とする請求項９乃至１４の内いずれか１項に記載のプログラム。
【請求項１６】
前記端末管理装置は、画像又は映像又は音声の少なくとも１つを取得することが可能な前記端末装置であることを特徴とする請求項９乃至１５の内いずれか１項に記載のプログラム。
【請求項１７】
取得した画像又は映像又は音声の少なくとも１つを記憶する情報メモリと電源用電池とを有する端末装置を複数管理する端末管理方法であって、
前記各端末装置に内蔵された前記電池の消費状況及び充電状況の少なくとも一方に関する情報を、前記端末装置と情報を無線又は有線で送受信する通信手段を介して取得する電源情報取得ステップと、
前記電源情報取得ステップで取得した情報に基づいて各端末装置の電池の消費状況又は充電状況を表示する電源情報表示ステップと、
前記複数の端末装置から任意の第１の端末装置を選択させるためのユーザインターフェースを表示する第１の端末選択ステップと、
を備えたことを特徴とする端末管理方法。
【発明の詳細な説明】
【技術分野】
【０００１】
本発明は、複数の端末の状態を一括して管理し、必要に応じた処置を実行することのできる端末管理装置、端末管理方法及び端末管理プログラムに関する。
【背景技術】
【０００２】
画像、映像、音声などの情報を取り扱うポータブルの端末が多数使用されている。その結果、１家庭あるいは１職場に複数台のポータブルの端末が備えられるようになった。  
ところで、これら端末はそのほとんどが情報を保存するためのメモリと、電源を供給するための電池を備えているため、使用する時においてメモリに余裕がなくなったり、電池切れが発生しないように管理しておく必要がある。
【０００３】
特許文献１には、電池残量が少なくなったときに、充電が必要である旨を警告する機能を備えたデジタルカメラが記載されている。また、特許文献２には、メモリ残量が少なくなるとインターネットを介して撮影した画像をサーバに送信してメモリの空き容量を確保するデジタルカメラが開示されている。
【特許文献１】特開２００３−６９８７６号公報
【特許文献２】特開２００１−１２８１１３号公報
【発明の開示】
【発明が解決しようとする課題】
【０００４】
特許文献１、２に記載された技術では、メモリ又は電池の残量が現時点において少なくなったことを警告により知ることができるが、端末を使用中においてメモリ又は残量がなくなってしまうかどうかまでを知ることはできない。従って、この端末を安心して使用して良いものかどうかを判断することはできない。  
また、特許文献１、２に記載された技術では、メモリ又は電池の残量について個別に警告を発することはできるが、電池残量、メモリ残量、充電状態、メモリの空き容量を増やせるかどうかなどの使用状態や回復状態を管理することはできない。従って、複数の端末のそれぞれについて、その使用状態や回復状態を一括して管理することも困難である。
【０００５】
本発明は、かかる事情に鑑みてなされたものであり、複数の端末の状態を一括して管理し、必要に応じた処置を実行することのできる端末管理装置、端末管理方法及び端末管理プログラムを提供することを目的とする。
【課題を解決するための手段】
【０００６】
上記課題を解決するための、本発明に係る請求項１に記載の端末管理装置は、取得した画像又は映像又は音声の少なくとも１つを記憶する情報メモリと電源用電池とを有する端末装置を複数管理する端末管理装置であって、前記端末装置と情報を無線又は有線で送受信する通信手段と、前記各端末装置に内蔵された前記電池の消費状況及び充電状況の少なくとも一方に関する情報を前記通信手段を介して取得する電源情報取得手段と、前記電源情報取得手段で取得した情報に基づいて各端末装置の電池の消費状況又は充電状況を表示する電源情報表示手段と、前記複数の端末装置から任意の第１の端末装置を選択させるためのユーザインターフェースを表示する第１の端末選択手段と、を有する。
【０００７】
また本発明に係る請求項２に記載の端末管理装置は、上記記載の発明である端末管理装置において、前記第１の端末装置に内蔵の電池の電力の残量が十分か否かを判定する電池残量判定手段と、前記電池残量判定手段で、前記第１の端末装置の内蔵電池の電力残量が不十分と判定された場合には、内蔵する電池の電力残量が十分な端末装置を抽出する端末抽出手段と、を更に有する。
【０００８】
また本発明に係る請求項３に記載の端末管理装置は、上記記載の発明である端末管理装置において、前記各端末装置が充電装置に接続されているか否かを判定する充電器接続判定手段を更に有し、前記端末抽出手段は、内蔵する電池の残量が十分でかつ充電装置に接続された端末装置を抽出する。
【０００９】
また本発明に係る請求項４に記載の端末管理装置は、上記記載の発明である端末管理装置において、前記各端末装置の情報メモリの使用状況に関する情報を取得するメモリ情報取得手段と、前記メモリ情報取得手段で取得した情報に基づいて各端末装置のメモリの使用状況を表示するメモリ情報表示手段と、を更に有する。
【００１０】
また本発明に係る請求項５に記載の端末管理装置は、上記記載の発明である端末管理装置において、前記第１の端末装置の情報メモリの空きメモリ容量が十分か否かを判定する空きメモリ判定手段と、前記空きメモリ判定手段で空きメモリが不十分と判定された場合には、前記第１の端末装置の情報メモリに記憶されている情報を記憶可能な第２の端末装置を選択する第２の端末選択手段と、前記第１の端末装置の情報メモリに記憶されている情報を前記第２の端末装置の情報メモリに転送する情報転送手段と、を更に有する。
【００１１】
また本発明に係る請求項６に記載の端末管理装置は、上記記載の発明である端末管理装置において、大量の情報が記憶可能な情報処理装置と直接又は、前記複数の端末装置の一つを介して情報の通信が可能か否かを判定するホスト接続判定手段をさらに有し、前記ホスト接続判定手段が前記情報処理装置と情報の通信が可能と判定した場合には、前記情報転送手段は、前記第１の端末装置の情報メモリに記憶されている情報を前記情報処理装置に転送する。
【００１２】
また本発明に係る請求項７に記載の端末管理装置は、上記記載の発明である端末管理装置において、前記端末選択手段を介して選択された端末装置に対してアラーム動作を起動させるアラームコマンドを送信するアラーム起動手段を更に有する。
【００１３】
また本発明に係る請求項８に記載の端末管理装置は、上記記載の発明である端末管理装置において、前記端末管理装置は、画像又は映像又は音声の少なくとも１つを取得する。
【００１４】
また本発明に係る請求項９に記載の端末管理プログラムは、取得した画像又は映像又は音声の少なくとも１つを記憶する情報メモリと電源用電池とを有する端末装置を複数管理する端末管理装置で動作する端末管理プログラムであって、前記各端末装置に内蔵された前記電池の消費状況及び充電状況の少なくとも一方に関する情報を、前記端末装置と情報を無線又は有線で送受信する通信手段を介して取得する電源情報取得ステップと、前記電源情報取得ステップで取得した情報に基づいて各端末装置の電池の消費状況又は充電状況を表示する電源情報表示ステップと、前記複数の端末装置から任意の第１の端末装置を選択させるためのユーザインターフェースを表示する第１の端末選択ステップと、をコンピュータに実行させる。
【００１５】
また本発明に係る請求項１０に記載の端末管理プログラムは、上記記載の発明である端末管理プログラムにおいて、前記第１の端末装置に内蔵の電池の電力の残量が十分か否かを判定する電池残量判定ステップと、前記電池残量判定ステップで、前記第１の端末装置の内蔵電池の電力残量が不十分と判定された場合には、内蔵する電池の電力残量が十分な端末装置を抽出する端末抽出ステップと、を更に有する。
【００１６】
また本発明に係る請求項１１に記載の端末管理プログラムは、上記記載の発明である端末管理プログラムにおいて、前記各端末装置が充電装置に接続されているか否かを判定する充電器接続判定ステップを更に有し、前記端末抽出ステップは、内蔵する電池の残量が十分でかつ充電装置に接続された端末装置を抽出する。
【００１７】
また本発明に係る請求項１２に記載の端末管理プログラムは、上記記載の発明である端末管理プログラムにおいて、前記各端末装置の情報メモリの使用状況に関する情報を取得するメモリ情報取得ステップと、前記メモリ情報取得ステップで取得した情報に基づいて各端末装置のメモリの使用状況を表示するメモリ情報表示ステップと、を更に有する。
【００１８】
また本発明に係る請求項１３に記載の端末管理プログラムは、上記記載の発明である端末管理プログラムにおいて、前記第１の端末装置の情報メモリの空きメモリ容量が十分か否かを判定する空きメモリ判定ステップと、前記空きメモリ判定ステップで空きメモリが不十分と判定された場合には、前記第１の端末装置の情報メモリに記憶されている情報を記憶可能な第２の端末装置を選択する第２の端末選択ステップと、前記第１の端末装置の情報メモリに記憶されている情報を前記第２の端末装置の情報メモリに転送する情報転送ステップと、を更に有する。
【００１９】
また本発明に係る請求項１４に記載の端末管理プログラムは、上記記載の発明である端末管理プログラムにおいて、大量の情報が記憶可能な情報処理装置と直接又は、前記複数の端末装置の一つを介して情報の通信が可能か否かを判定するホスト接続判定ステップをさらに有し、前記ホスト接続判定ステップが前記情報処理装置と情報の通信が可能と判定した場合には、前記情報転送ステップでは、前記第１の端末装置の情報メモリに記憶されている情報を前記情報処理装置に転送する。
【００２０】
また本発明に係る請求項１５に記載の端末管理プログラムは、上記記載の発明である端末管理プログラムにおいて、前記端末選択ステップで選択された端末装置に対してアラーム動作を起動させるアラームコマンドを送信するアラーム起動ステップを更に有する。
【００２１】
また本発明に係る請求項１６に記載の端末管理プログラムは、上記記載の発明である端末管理プログラムにおいて、前記端末管理装置は、画像又は映像又は音声の少なくとも１つを取得することが可能な前記端末装置である。
【００２２】
また本発明に係る請求項１７に記載の端末管理方法は、取得した画像又は映像又は音声の少なくとも１つを記憶する情報メモリと電源用電池とを有する端末装置を複数管理する端末管理方法であって、前記各端末装置に内蔵された前記電池の消費状況及び充電状況の少なくとも一方に関する情報を、前記端末装置と情報を無線又は有線で送受信する通信手段を介して取得する電源情報取得ステップと、前記電源情報取得ステップで取得した情報に基づいて各端末装置の電池の消費状況又は充電状況を表示する電源情報表示ステップと、前記複数の端末装置から任意の第１の端末装置を選択させるためのユーザインターフェースを表示する第１の端末選択ステップと、を備えた。
【発明の効果】
【００２３】
本発明によれば、複数の端末の状態を一括して管理し、必要に応じた処置を実行することができるため、端末をスムーズに使用することができる。
【発明を実施するための最良の形態】
【００２４】
［第１の実施の形態］
図１は、本発明の第１の実施の形態の管理装置１の使用態様を示す図である。  
管理装置１は、管理対象である端末２、パーソナルコンピュータ（以下、ＰＣという）３及び携帯端末４と有線あるいは無線によって接続して情報を授受することができる。  
端末２には、デジタルカメラ、ＩＣレコーダ、デジタルビデオカメラ等が含まれる。また、携帯端末４は、管理装置１を遠隔で操作するための操作機器である。なお、ユーザは、携帯端末４を介して操作するだけでなく、直接管理装置１を操作することもできる。
【００２５】
次に図１を参照しつつ、管理装置１の使用態様を説明する。  
第１の使用態様では、管理装置１は端末２ａと情報の授受を行う。管理装置１は、端末２ａに対して端末情報取得命令を出力し、端末２ａからは端末２ａに関する情報が管理装置１に送信される。また、相互に情報であるファイルの授受を行う。  
第２の使用態様では、管理装置１はＡＣアダプタ５で充電中の端末２ｂと情報の授受を行う。管理装置１と端末２ｂとは、上述と同様の情報授受を行う。なお、端末２ｂから受け取る情報には、充電中である旨、充電状態などが含まれる。
【００２６】
第３の使用態様では、管理装置１はＰＣ３ａと接続している端末２ｃと情報の授受を行う。管理装置１と端末２ｃとは、上述と同様の情報授受を行う。なお、端末２ｃから受け取る情報には、ＰＣ３ａと接続中である旨、あるいはＰＣ３ａを介して充電中である旨などが含まれる。  
第４の使用態様では、管理装置１はＰＣ３ｂと情報の授受を行う。管理装置１はＰＣ３ｂと直接ファイルの授受をおこなうことができる。  
図２は、管理装置１の構成を示すブロック図である。管理装置１は、表示部１１、操作部１２、通信部１３、端末管理ＤＢ１４、ファイル格納用メモリ１５、プログラムメモリ１６、処理部１７及び一時メモリ１８を備えている。  
なお、管理装置１には、表示部１１、操作部１２を設けず、携帯端末４に設けられたそれらの機能を使用するようにしても良い。
【００２７】
表示部１１は、ＣＲＴまたはＴＦＴ液晶ディスプレイである。操作部１２は、ユーザからの操作指示入力を受取るためのキーボード、ボタン等の入力デバイスである。通信部１３は、端末２との間で情報を通信により授受するためのインターフェースである。端末管理ＤＢ１４は、端末２を管理するための端末情報データベース（後述）を記憶する。ファイル格納用メモリ１５は、画像、映像、音声などの情報を格納する。プログラムメモリ１６は、管理装置１の各機能を制御するプログラムを保存する。処理部１７は、管理装置１の動作を統括的に制御する。一時メモリ１８は、バッファメモリである。
【００２８】
図３は、携帯端末４の構成を示すブロック図である。携帯端末４は、表示部２１、操作部２２、通信部２３、プログラムメモリ２６、処理部２７及び一時メモリ２８を備えている。  
表示部２１は、ＴＦＴ液晶ディスプレイである。操作部２２は、ユーザからの操作指示入力を受取るためのキーボード、ボタン等の入力デバイスである。通信部２３は、管理装置１との間で情報を通信により授受するためのインターフェースである。プログラムメモリ２６は、携帯端末４の各機能を制御するプログラムを保存する。処理部２７は、携帯端末４の動作を統括的に制御する。一時メモリ２８は、バッファメモリである。
【００２９】
図４は、端末２の構成を示すブロック図である。端末２は、表示部３１、操作部３２、通信部３３、ＩＤメモリ３４、ファイルメモリ３５、プログラムメモリ３６、処理部３７、電源管理部３８、発光部３９、音声出力部４０、撮像部４１及び録音部４２を備えている。
【００３０】
表示部３１は、ＴＦＴ液晶ディスプレイである。操作部３２は、操作指示入力を受取るためのキーボード、ボタン等の入力デバイスである。通信部３３は、管理装置１又はＰＣ３との間で情報を通信により授受するためのインターフェースである。ＩＤメモリ３４は、端末２を特定するためのＩＤデータを記憶する。ファイルメモリ３５は、画像、映像、音声などの情報を格納する。プログラムメモリ３６は、端末２の各機能を制御するプログラムを保存する。処理部３７は、端末２の動作を統括的に制御する。
【００３１】
電源管理部３８は、電池の残量、電源の充電状態などを管理する。発光部３９は、表示用に光を点滅などして出力する。音声出力部４０は、音又は音声を出力する。撮像部４１は、被写体を撮影して画像を生成する。録音部４２は、音または音声を記録する。
【００３２】
なお、撮像部４１、録音部４２は、端末２の種類に応じて設けられる。例えば、端末２がデジタルカメラ、デジタルビデオカメラの場合は、撮像部４１は、必要な構成要素である。端末２がＩＣレコーダの場合は、録音部４２は、必要な構成要素である。
【００３３】
次に、管理装置１での処理手順を図５〜図２１を参照しつつ説明する。なお、以下の説明においては、管理装置１の表示部１１に表示される内容は、携帯端末４の表示部２１に表示されるとしても良い。  
まずユーザは、管理対象とする端末２を管理装置１に登録する。  
図５は、端末を登録する処理手順を表す概略のフロー図である。
【００３４】
図５のステップＴ０１において、ユーザが端末２の電源をＯＮとして端末登録画面５１の表示操作を行うと、ステップＴ０２において、図６に示す端末登録画面５１が端末２の表示部３１に表示される。ステップＴ０３において、ユーザが操作したＯＫボタンの押下を検出すると、ステップＴ０４〜Ｔ０５において、ＩＤメモリ３４から自身を特定する情報である端末ＩＤを読み出して、その端末ＩＤを管理装置１に送信する。  
管理装置１は、ステップＳ０１において、送信された端末ＩＤを受信すると、ステップＳ０２において、その端末ＩＤを端末管理ＤＢ１４に記憶されている端末情報データベース５０に登録する。
【００３５】
図７は、端末情報データベース５０の内容を示す図である。  
その端末２が新たに登録を要求された場合は、新しい「ＩＤ」欄が生成されて、受信した端末ＩＤが登録される。なお、端末情報データベース５０の詳細については後で説明する。
【００３６】
図８、図９は、管理装置のメインの処理手順を示すフロー図である。  
図８のステップＳ１０において、ユーザが管理装置１を起動すると、ステップＳ１１において、端末情報データベース５０更新処理（図１０）を実行する。
【００３７】
図１０のステップＳ６１において、管理装置１の処理部１７は、端末情報データベース５０に登録されている一台目の端末ＩＤを読み込む。そして、ステップＳ６２において、読み込んだ端末ＩＤに基づいて、該当する端末２に対して端末情報取得信号を送信する。
【００３８】
該当する端末２では、ステップＴ１０において、端末情報取得処理（図１１）を実行する。  
図１１のステップＴ１１において、端末２は、管理装置１から情報取得信号を受信すると、端末情報データベース５０の内容となる情報を収集する。  
即ち、ステップＴ１２において、端末２の「機種名」を取り出し、ステップＴ１３〜Ｔ１４において、「最大メモリ容量」、空きメモリ容量（「残量」）、メモリ内に記録されている「ファイル数」を取り出す。そして、ステップＴ１５において、空きメモリ容量と、「ファイル形式」から空きメモリに保存可能なファイル数を算出して「記録可能領域」とする。
【００３９】
続いて、ステップＴ１６〜Ｔ１７において、電池残量を取得して、その電池残量から残り起動時間を算出する。  
次に、ステップＴ１８において、端末２がＰＣ３と接続されているかどうかを調べ、ステップＴ１８でＹｅｓの場合、即ち、ＰＣ３と接続されている場合は、「ＰＣ接続」のフラグをＯＮに設定する。  
更に、ステップＴ２０において、端末２がＰＣ３あるいはＡＣアダプタ５と接続されて充電中かどうかを調べ、ステップＴ２０でＹｅｓの場合、即ち、ＰＣ３あるいはＡＣアダプタ５と接続されている場合は、「ＡＣ接続」のフラグをＯＮに設定する。  
そして、ステップＴ２２において、取得した情報、算出した情報を管理装置１に送信する。
【００４０】
図１０に戻り、ステップＳ６３において、管理装置１では該当する端末２の電源がＯＦＦになっているかどうかを調べる。即ち、端末情報取得信号を端末２に送信しても所定時間内に応答がない場合は、当該端末２の電源はＯＦＦになっているものと判断する。  
ステップＳ６３でＮＯの場合、即ち、端末２から端末情報が送信された場合は、ステップＳ６４において、受信した端末情報で端末情報データベース５０を更新する。なお、この更新時、端末情報データベース５０の「使用可能」フラグをＹｅｓとする。  
一方、ステップＳ６３でＹｅｓの場合、即ち、端末２から所定時間内に端末情報が送信されない場合は、ステップＳ６５において、端末情報データベース５０の「使用可能」フラグをＮｏとして更新する。  
そして、ステップＳ６６において、端末情報データベース５０に登録されている次の端末ＩＤを読み込み、ステップＳ６２からの処理を繰り返して実行する。  
一方、ステップＳ６７において、端末情報データベース５０に登録されている全ての端末２について情報取得のための全ての動作を終了したときは、端末情報データベース５０更新処理を終了する。
【００４１】
図８に戻り、ステップＳ１２において、管理装置１の処理部１７は、端末情報データベース５０を調べて、「使用可能」フラグがＹｅｓとなっている「ＩＤ」と「機種名」を取り出す。そして、ステップＳ１３において、表示部１１に図１２に示す端末選択画面５２を表示し、ユーザに選択するように促す。
【００４２】
ユーザが通信を行いたい端末２を選択してＯＫボタンを押すと、ステップＳ１４において、そのボタン押下を検出して、ステップＳ１５において、選択された端末２の情報を端末情報データベース５０から取得する。そして、ステップＳ１６において、端末情報表示画面５３の表示処理（図１４）を実行する。
【００４３】
図１３は、端末情報表示画面５３の内容を示す図である。  
図１３の端末情報表示画面５３には、端末２の使用状態表示欄５３ａ、退避チェックボックス５３ｂ、アラームボタン５３ｃ、戻るボタン５３ｄ及びＯＫボタン５３ｅが設けられている。
【００４４】
使用状況表示欄５３ａには、メモリの残量（空き容量）に関する情報、電池の残量に関する情報、当該端末２がＰＣ３と接続しているかどうかの情報、当該端末２がＡＣアダプタなどと接続して充電中の状態であるかどうかの情報が表示される。ユーザは、これらの情報から当該端末２を使用できるかどうかを判断することができる。
【００４５】
ユーザが退避チェックボックス５３ｂをチェックすることで、メモリの残量を増加することができる。  
アラームボタン５３ｃを押すと、当該端末２が光の点滅を開始し、それと共に音声が発せられる。これによって、ユーザは複数の端末２の中から当該端末２を容易に特定することができる。戻るボタン５３ｄを押すと、この端末２の選択をキャンセルする。ＯＫボタン５３ｅを押すと、この端末２の選択動作が続行する。
【００４６】
図１４は、図８のステップＳ１６に示す端末情報表示画面表示処理の概略の手順を示すフロー図である。  
図１４のステップＳ７１において、処理部１７は、選択された端末２について使用状況表示欄５３ａを表示する。これらの情報は、端末情報データベース５０に基づくが、電池の残量に関する情報の内、フル充電までの時間は、計算によって算出する。
【００４７】
ステップＳ７２でＹｅｓの場合、即ち、当該端末２がＰＣ３と接続されているときは、このＰＣ３にメモリの情報を退避することが可能となるため、ステップＳ７３において、退避チェックボックス５３ｂを表示する。  
ステップＳ７２でＮｏの場合、即ち、当該端末２がＰＣ３と接続されていないときであっても、ステップＳ７４でＹｅｓの場合、即ち、当該端末２以外に使用可能な端末２がある場合は、その端末にメモリの情報を退避することが可能となるため、ステップＳ７５において、退避チェックボックス５３ｂを表示する。  
そして、ステップＳ７６において、表示部１１に端末情報表示画面５３を表示する。
【００４８】
図８に戻り、ユーザが端末情報表示画面５３のアラームボタン５３ｃを押すと、ステップＳ１７〜Ｓ１９において、処理部１７は、押下されたのがアラームボタン５３ｃであることを検知して、アラーム起動処理（図１５）を実行する。  
図１５のステップＳ７９において、処理部１７は、当該端末２に対してアラーム起動命令を送信する。  
このアラーム起動命令を受信した端末２では、ステップＴ３１〜Ｔ３２において、音声出力部４０を起動して音声を発すると共に、発光部３９を起動して点滅する光を出力する。これによってユーザは、複数の端末の中から所望の端末を容易に特定することができる。
【００４９】
図８に戻り、ユーザが端末情報表示画面５３の戻るボタン５３ｄを押すと、ステップＳ２０において、処理部１７は、押下されたのが戻るボタン５３ｄであることを検知して、ステップＳ１３に戻り、表示部１１に図１２に示す端末選択画面５２を表示し、ユーザに新たな端末２を選択するように促す。そして、上述の処理を再度実行する。
【００５０】
図８に戻り、ユーザが端末情報表示画面５３のＯＫボタン５３ｅを押すと、ステップＳ２１において、処理部１７は、押下されたのがＯＫボタン５３ｅであることを検知して、ステップＳ２２において、退避チェックボックス５３ｂにチェックがされているかどうかを調べる。  
ステップＳ２２でＮｏの場合、即ち、ユーザが退避チェックボックス５３ｂにチェックをしていない場合は、メモリの退避処理は実行せずにステップＳ４１の終了画面処理（後述）を実行する。  
ステップＳ２２でＹｅｓの場合、即ち、ユーザが退避チェックボックス５３ｂにチェックをしている場合は、メモリの退避処理を実行する。なお、以降の退避処理の手順は、図１を参照しつつ説明する。
【００５１】
図９のステップＳ２３において、処理部１７は、メモリ退避先指定画面５４を表示部１１に表示する。  
図１６は、メモリ退避先指定画面５４を示す図である。メモリ退避先指定画面５４には、退避先表示欄５４ａ、戻るボタン５４ｂ及びＯＫボタン５４ｃが設けられている。  
退避先表示欄５４ａには、メモリの内容を送信可能な退避先の名前とメモリ残量（空き容量）が表示される。例えば、図１６の退避先表示欄５４には、管理装置１と接続されているＰＣ３ｂ、ＰＣ３ａ（端末２ｃ経由）、端末２ａ，２ｃが退避先として表示されている。
【００５２】
図９のステップＳ２４〜Ｓ２５において、ユーザの戻るボタン５４ｂの押下を検知すると、処理部１７は、図８のステップＳ１６に戻って、端末情報表示画面５３を表示する。そして、ユーザにボタンの操作を促して再度上述の処理を実行する。  
図９のステップＳ２４、Ｓ２６において、ユーザのＯＫボタン５４ｃの押下を検知すると、ステップＳ３１において、処理部１７は、退避先の端末などの名称を取得してその種別に応じた退避処理を実行する。  
図９のステップＳ３２において、ユーザが指定した退避先が端末２ｃに接続したＰＣ３ａである場合は、ステップＳ３３に示すメモリ退避処理（図１７）を実行する。  
図１７のステップＳ８１において、処理部１７は、端末情報データベース５０から退避元の端末ＩＤを取得し、ステップＳ８２において、その端末２ｂに対してファイル取得命令を送信する。
【００５３】
退避元端末２ｂでは、ステップＴ３５〜Ｔ３６において、メモリからファイルを所定量読み出して、メモリの読み出した領域をクリアする。そして、読み出したファイルを管理装置１に送信する。
【００５４】
管理装置１では、ステップＳ８４〜Ｓ８６において、受信したファイルをファイル格納用メモリ１５に保存し、通信部１３を介して経由端末２ｃにファイルを送信する。そして、ファイルの送信と併せて送信済みのファイルを削除する。  
送信後は、ステップＳ８１に戻り、再度ファイルの取得命令を送信して上述の動作を繰り返して実行する。そして、ステップＳ８３でＹｅｓの場合、即ち、送信されたファイルがない場合、端末２からのファイルの送信は終了したとして管理装置１は動作を終了する。  
経由端末２ｃでは、ステップＴ３８〜Ｔ３９において、管理装置１から受信したファイルを内部のメモリに保存し、保存したファイルをＰＣ３ａに送信する。  
ＰＣ３ａでは、ステップＰ０１において、管理装置１から受信したファイルを内部のメモリに保存する。このように分割してファイルを送信することによって、通信の負荷を低減できると共に、退避元端末２ｂ側で退避するファイルの容量を制御することができる。
【００５５】
図９のステップＳ３４において、ユーザが指定した退避先が直接管理装置１に接続したＰＣ３ｂである場合は、ステップＳ３５に示すメモリ退避処理（図１８）を実行する。  
図１８のステップＳ９１において、処理部１７は、端末情報データベース５０から退避元の端末ＩＤを取得し、ステップＳ９２において、その端末２ｂに対してファイル取得命令を送信する。
【００５６】
端末２ｂでは、ステップＴ４５〜Ｔ４６において、メモリからファイルを所定量読み出して、メモリの読み出した領域をクリアする。そして、読み出したファイルを管理装置１に送信する。
【００５７】
管理装置１では、ステップＳ９４〜Ｓ９６において、受信したファイルをファイル格納用メモリ１５に保存し、通信部１３を介してＰＣ３ｂにファイルを送信する。そして、ファイルの送信と合わせて送信済みのファイルを削除する。  
送信後は、ステップＳ９１に戻り、再度ファイルの取得命令を送信して上述の動作を繰り返して実行する。そして、ステップＳ９３でＹｅｓの場合、即ち、送信されたファイルがない場合、端末２ｂからのファイルの送信は終了したとして管理装置１は動作を終了する。  
ＰＣ３ｂでは、ステップＰ１１において、管理装置１から受信したファイルを内部のメモリに保存する。
【００５８】
図９のステップＳ３６において、ユーザが指定した退避先が退避元端末２ｃに接続したＰＣ３ａである場合は、ステップＳ３７に示すメモリ退避処理（図１９）を実行する。  
図１９のステップＳ９８において、処理部１７は、端末情報データベース５０から退避元の端末ＩＤを取得し、ステップＳ９９において、その端末２ｃに対してファイル送信命令を送信する。
【００５９】
端末２ｃでは、ステップＴ５５〜Ｔ５６において、メモリからファイルを読み出して、メモリの読み出した領域をクリアする。そして、読み出したファイルをＰＣ３ａに送信する。
【００６０】
ＰＣ３ａでは、ステップＰ２１において、端末２ｃから受信したファイルを内部のメモリに保存する。
【００６１】
図９のステップＳ３８において、ユーザが指定した退避先が端末２ａである場合は、ステップＳ３９に示すメモリ退避処理（図２０）を実行する。  
図２０のステップＳ１０１において、処理部１７は、端末情報データベース５０から退避元の端末ＩＤを取得し、ステップＳ１０２において、その端末２ｂに対してファイル取得命令を送信する。
【００６２】
端末２ｂでは、ステップＴ６５〜Ｔ６６において、メモリからファイルを所定量読み出して、メモリの読み出した領域をクリアする。そして、読み出したファイルを管理装置１に送信する。
【００６３】
管理装置１では、ステップＳ１０４〜Ｓ１０６において、受信したファイルをファイル格納用メモリ１５に保存し、通信部１３を介して端末２ａにファイルを送信する。そして、ファイルの送信と合わせて送信済みのファイルを削除する。  
送信後は、ステップＳ１０１に戻り、再度ファイルの取得命令を送信して上述の動作を繰り返して実行する。そして、ステップＳ１０３でＹｅｓの場合、即ち、送信されたファイルがない場合、端末２ｂからのファイルの送信は終了したとして管理装置１は動作を終了する。
【００６４】
端末２ａでは、ステップＰ３１において、空きメモリがあるかどうかを調べる。ステップＰ３１でＮｏの場合、即ち、空きメモリがある場合、ステップＰ３２において、管理装置１から受信したファイルを内部のメモリに保存する。  
一方、ステップＰ３１でＹｅｓの場合、即ち、空きメモリがない場合、ステップＰ３３において、管理装置１にエラーを送信する。  
図９に戻り、ステップＳ４０において、管理装置の処理部１７は、図２０の退避処理でエラーが発生したかどうかを調べる。ステップＳ４０でＹｅｓの場合、即ち、エラーが発生して終了した場合は、再度ユーザに退避動作を指定させるために、ステップＳ２３において、メモリ退避先指定画面５４を表示して上述の処理を繰り返して実行する。
【００６５】
図１７〜図２０の退避処理が正常に終了した場合は、ステップＳ４１において、図２１に示す終了画面５５を表示してメモリを退避した旨のメッセージを出力する。  
ステップＳ４２〜Ｓ４３において、ユーザの最初に戻るボタン５５ａの押下を検出すると、図８のステップＳ１３に戻り、端末選択画面５２を表示し上述の処理を繰り返して実行する。  
ステップＳ４２、Ｓ４４において、ユーザの終了ボタン５５ｂの押下を検出すると、管理装置１は処理を終了する。
【００６６】
なお、本発明は上述の実施の形態に限定されず、種々のバリエーションで構成することができる。  
（１）第１の実施の形態では、ユーザは任意の端末２を選択し、表示される端末情報表示画面５３から、この端末２を使用するかどうかを決定していたが、この処理を自動で行うこともできる。  
ｉ）例えば、ユーザが選択した任意の端末２の電池の電力の残量が十分か否かを自動で判定し、もしその端末２の電池の電力の残量が十分でない場合は、電池の電力の残量が十分な他の端末２を調べて抽出し、ユーザに提示することもできる。
【００６７】
ii）また同様に、ユーザが選択した任意の端末２の電池の電力の残量が十分でない場合は、電池の電力の残量が十分であって、かつ充電装置に接続された端末２を調べて抽出し、ユーザに提示することもできる。
【００６８】
（２）第１の実施の形態では、管理装置１と端末２とは別の機器として構成していたが、端末２を管理装置１としても機能するように構成しても良い。
【００６９】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００７０】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００７１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７２】
【図１】本発明の第１の実施の形態の管理装置の使用態様を示す図。
【図２】管理装置の構成を示すブロック図。
【図３】携帯端末の構成を示すブロック図。
【図４】端末の構成を示すブロック図。
【図５】端末を登録する処理手順を表す概略のフロー図。
【図６】端末登録画面を示す図。
【図７】端末情報データベースの内容を示す図。
【図８】管理装置のメインの処理手順を示すフロー図。
【図９】管理装置のメインの処理手順を示すフロー図。
【図１０】端末情報データベース更新処理を示すフロー図。
【図１１】端末情報取得処理を示すフロー図。
【図１２】端末選択画面を示す図。
【図１３】端末情報表示画面を示す図。
【図１４】端末情報表示画面の表示処理を示すフロー図。
【図１５】アラーム起動処理を示すフロー図。
【図１６】メモリ退避先指定画面を示す図。
【図１７】メモリ退避処理を示すフロー図。
【図１８】メモリ退避処理を示すフロー図。
【図１９】メモリ退避処理を示すフロー図。
【図２０】メモリ退避処理を示すフロー図。
【図２１】終了画面を示す図。
【符号の説明】
【００７３】
１…管理装置、２…端末、３…ＰＣ、４…携帯端末、５…ＡＣアダプタ、１１…表示部、１３…通信部、１４…端末管理データベース、１５…ファイル格納用メモリ、１７…処理部、２１…表示部、２３…通信部、２７…処理部、３１…表示部、３３…通信部、３４…ＩＤメモリ、３５…ファイルメモリ、３７…処理部、３８…電源管理部、３９…発光部、４０…音声出力部、５０…端末情報データベース、５１…端末登録画面、５２…端末選択画面、５３…端末情報表示画面、５４…メモリ退避先指定画面。
【図１】
2007068105.tif 000003
【図２】
2007068105.tif 000004
【図３】
2007068105.tif 000005
【図４】
2007068105.tif 000006
【図５】
2007068105.tif 000007
【図６】
2007068105.tif 000008
【図７】
2007068105.tif 000009
【図８】
2007068105.tif 000010
【図９】
2007068105.tif 000011
【図１０】
2007068105.tif 000012
【図１１】
2007068105.tif 000013
【図１２】
2007068105.tif 000014
【図１３】
2007068105.tif 000015
【図１４】
2007068105.tif 000016
【図１５】
2007068105.tif 000017
【図１６】
2007068105.tif 000018
【図１７】
2007068105.tif 000019
【図１８】
2007068105.tif 000020
【図１９】
2007068105.tif 000021
【図２０】
2007068105.tif 000022
【図２１】
2007068105.tif 000023